(57)【要約】【課題】表示板に設けられている表示部の影が背景に映し出されるのを抑制して、視認性を向上させた表示装置を提供する。【解決手段】透明な基板の裏面側に設けられた表示部７を有する表示板８と、この表示板８の背後に表示板８と離間して配置された透過板９と、この透過板９を面発光させる透過板用発光ダイオード１１（光源）とを備え、表示部７および表示部７周辺に対応した表示板８箇所の裏面側に拡散層２９（拡散処理）を設ける。【選択図】図１
2007271426.tif 000002
【特許請求の範囲】
【請求項１】
透明な基板に設けられた表示部を有する表示板と、この表示板の背後に前記表示板と離間して配置された透過板と、この透過板を面発光させる光源とを備え、少なくとも前記表示部周辺に対応した前記表示板箇所に拡散処理を施したことを特徴とする表示装置。
【請求項２】
透明な基板に設けられた表示部を有する表示板と、この表示板の背後に前記表示板と離間して配置された透過板と、この透過板を面発光させる光源とを備え、少なくとも前記表示部周辺に対応した前記透過板箇所の表面側に拡散処理を施したことを特徴とする表示装置。
【請求項３】
透明な基板に設けられた表示部を有する表示板と、この表示板の背後に前記表示板と離間して配置された透過板と、この透過板と前記表示板との間に配置された拡散板と、前記透過板を面発光させる光源とを備えたことを特徴とする表示装置。
【請求項４】
前記透過板が白色系であることを特徴とする請求項１から請求項３の何れかに記載の表示装置。
【請求項５】
前記表示装置は前記表示部を指し示す指針を備えており、この指針の前方側に前記表示板が配置されていることを特徴とする請求項１から請求項４の何れかに記載の表示装置。
【発明の詳細な説明】
【技術分野】
【０００１】
本発明は、例えば車両に備えられる表示装置に関するものである。
【背景技術】
【０００２】
車両用の表示装置に於いて、立体感、奥行き感のあるコンビネーションメータを実現したものとして、例えば下記特許文献１がある。特許文献１に記載の車両用計器は、各々の表面に表示部を有する第１の表示盤と第２の表示盤を２枚積層構成することにより、立体感、奥行き感のある斬新な見栄えのする車両用計器が得られるというものである。
【特許文献１】特開２００３−２４７８７１号公報
【発明の開示】
【発明が解決しようとする課題】
【０００３】
前記特許文献１の様に構成した車両用計器であって、第２の表示盤の色調が白色もしくは白系統である場合に、例えば太陽光が差すと第１の表示部２ａ，２ｂが設けられた第１の表示盤２が透明材料からなるため、第２の表示盤３上に表示部の影ができて（表示部の形が黒っぽく映って）しまい、表示部が読みにくかったり、見栄えが悪くなるということがある。
【０００４】
本発明はこの様な点に鑑みなされたもので、表示板に設けられている表示部の影が背景に映し出されるのを抑制して、視認性を向上させた表示装置を提供することを目的とする。
【課題を解決するための手段】
【０００５】
本発明は前記目的を達成するため、透明な基板に設けられた表示部を有する表示板と、この表示板の背後に前記表示板と離間して配置された透過板と、この透過板を面発光させる光源とを備え、少なくとも前記表示部周辺に対応した前記表示板箇所に拡散処理を施したものである。
【０００６】
また、透明な基板に設けられた表示部を有する表示板と、この表示板の背後に前記表示板と離間して配置された透過板と、この透過板を面発光させる光源とを備え、少なくとも前記表示部周辺に対応した前記透過板箇所の表面側に拡散処理を施したものである。
【０００７】
また、透明な基板に設けられた表示部を有する表示板と、この表示板の背後に前記表示板と離間して配置された透過板と、この透過板と前記表示板との間に配置された拡散板と、前記透過板を面発光させる光源とを備えたものである。
【０００８】
また、前記透過板が白色系である。
【０００９】
また、前記表示装置は前記表示部を指し示す指針を備えており、この指針の前方側に前記表示板が配置されているものである。
【発明の効果】
【００１０】
表示板に設けられている表示部の影が背景に映し出されるのを抑制して、視認性を向上させた表示装置を得ることができる。
【発明を実施するための最良の形態】
【００１１】
本発明を各実施形態に基づいて説明する。図１は第１実施形態を示す車両用の表示装置の断面図である。図２は同表示装置に用いられる表示板の部分正面図であり、図３は表示板の部分断面図（図２に於けるＡ−Ａ断面）である。
【００１２】
表示装置は、例えば指針式の速度計１を備えている。速度計１は、硬質な回路基板２と、この回路基板２の裏面側に回路基板２と導通状態で装着され、回路基板２を貫通して前方に延びる回動軸３を有する表示器本体４と、回動軸３に固着された指示部５を有する指針６と、この指針６の前方側に配置され指示部５によって指し示される表示部７を設けた表示板８と、この表示板８の背後に表示板８と離間して配置された透過板９と、回路基板２に実装され指針６の指示部５を光輝させる光源としての指針用発光ダイオード１０と、透過板９を背後から照射し面発光させる光源としての透過板用発光ダイオード１１を備えている。
【００１３】
また、透過板９と回路基板２との間に配置され透過板９が支持されるケース部材１２と、表示板８の周縁前方側に配置され表示板８の可視領域を定める開口部１３を有する見返し部材１４と、表示板８や見返し部材１４などの前方側を被う無色透明な合成樹脂からなる透視板１５と、回路基板２の裏面側を覆う合成樹脂製のカバー１６と、指針６周囲の透過板９上に配置された指標板１７を備えている。
【００１４】
指針６は、無色透明な合成樹脂からなる指示部５の他に、指針軸１８と、遮光性の合成樹脂からなる指針キャップ１９を備えている。指示部５の裏面には例えば白色の箔（図示せず）がホットスタンプされており、昼間など周囲が明るい時は指示部５が白色で視認される。また、夜間など周囲が暗い時に例えば白色で発光する指針用発光ダイオード１０が点灯した際も、指示部５に導かれた光が白色の箔に反射して指示部５が白色で光輝されるようになっている。この指針６は指針軸１８を表示器本体４の回動軸３の先端側に圧入することによって表示器本体４に固着される。
【００１５】
ケース部材１２は、遮光性のある例えば白色の合成樹脂からなり、回動軸３の周囲に配置された指針用発光ダイオード１０を囲むように配置された筒部２０と、この筒部２０の周囲に設けられ、透過板用発光ダイオード１１からの光を周囲に反射する第1の反射壁２１と、透過板用発光ダイオード１１周辺から筒部２０を取り巻くように透過板９の周縁側に向かって傾斜して形成された第２の反射部２２と、側壁２３などを有している。
【００１６】
見返し部材１４は、例えば黒色の合成樹脂からなり、表示板８の前方側に位置する上部２４と、表示板８より下方側に位置する下部２５を有する。詳細説明は省くが、上部２４の複数箇所にはボス２６が設けてあり、このボス２６に表示板８の周縁部が固着されている。また、下部２５はケース部材１２とで透過板９の周縁を挟み込むようになっている。
【００１７】
表示板８は、無色透明な合成樹脂からなる基板２７の裏面側に車両の速度を現す数字，目盛などの表示部７となる例えば黒色の表示層２８を印刷によって設けた後、この表示層２８を覆うように拡散処理としての無色透明な拡散層２９を設けたものである。図２に於いては基板２７を透して表示部７が視認された状態（数字表示部を７Ａ，目盛表示部を７Ｂで示す）を示すとともに、破線内が拡散層２９を設けた領域を示す。車両用表示装置に於ける表示形態は、例えばマイル表示とキロ表示が併記されることがある。本実施形態に於ける表示装置は、表示板８にマイル表示に関する表示部７が設けられ、指標板１７にキロ表示に関する指標部（図示せず）が設けられている。
【００１８】
拡散層２９は、例えば微細な粉末が含まれた透明なインクを表示板８の表示部７（表示層２８）および表示部７（表示層２８）周辺に印刷したものである。なお、拡散層２９は少なくとも表示部７（表示層２８）周辺対応した箇所に設けてあれば良いが、表示層２８に対する拡散層２９の印刷ズレを考慮して表示層２８を覆うようにしてある。
【００１９】
透過板９は、白色または白色に近似した色調の白色系の半透明な合成樹脂からなるが、透過板用発光ダイオード１１からの光を透過するようになっていれば、無色透明な合成樹脂板に例えば白色の透過層を印刷したものであっても良い。
【００２０】
指標板１７は、詳細は図示しないが例えば無色透明な合成樹脂板の表面に白色の透過層を印刷した後、指標部となる箇所を除いて例えば黒色の地色層を設けた（抜き印刷した）ものである。指標部はマイル表示に関する表示部７に対応して設けられたキロ表示に関する数字，目盛などである。なお、併記表示が無ければ、指標板１７には指標部を設ける必要はない。また、指標部が不要であった場合、或いは指標部を表示板８に設けた場合には、指標板１７自体も配置しなくとも良い。但し、指標部を設けた指標板１７が表示板８の背後に配置されていた方が表示装置により奥行き感が出る。
【００２１】
この様に構成された表示装置に於いて、昼間など周囲が明るい時は、表示板８の表示部７が黒色で視認される。また、表示板８が無色透明であるため、表示部７以外の透明箇所を透して表示板８の背後に位置する透過板９の全面が白色系の色（白色）で視認される。この際、表示部７と表示部７の背景である透過板９とが離間されて配置されているために、表示装置に奥行き感が得られる。また、同様に指標板１７も視認され、指標部が白色で指標部以外が黒色でそれぞれ視認される。
【００２２】
また、夜間など周囲が暗い時に例えば白色で発光する透過板用発光ダイオード１１が点灯すると、透過板用発光ダイオード１１からの光はケース部材１２の第1の反射壁２１に反射して第２の反射部２２側に向かい、第２の反射部２２で反射して透過板９の裏面を照射する。或いは透過板９の裏面を直射する光もある。この様に透過板９の裏面に照射された光は白色で透過板９を透過することによって、表示部７がシルエットとなって視認される。この際、表示部７と表示部７の背景である透過板９とが離間されて配置されているために、表示部７が浮き上がったように視認され、表示装置に奥行き感が得られる。また、透過板用発光ダイオード１１からの光で指標板１７の指標部も白色で透過照明されるようになっている。
【００２３】
この様な表示装置に例えば太陽光が差した場合、表示部７の影が透過板９上に黒っぽく映る可能性があるが、基板２７裏面側の表示層２８（表示部７）周辺に拡散層２９が設けてあるため、光がこの拡散層２９で乱反射しやすい。従って、表示部７の影が透過板９上にくっきりと現れにくい（輪郭がぼやける）とともに、表示部７周辺に対応した透過板９箇所がぼやけて見えるため、表示部７が読みにくかったり、見栄えが悪くなったりするということが抑えられる。
【００２４】
また、白色系の透過板９上に黒い影が映ることから影が認識しやすいが、影をぼやけさせることができため、背景（透過板９）が白色系であっても表示部７の視認性を向上させることができる。また、表示板８が指針６の前方側に配置してあり、表示部７と背景（透過板９）との隙間が広いことで奥行き感が得られる。
【００２５】
次に、本発明の第２実施形態について説明する。前記第１実施形態に於いては表示板８に拡散層２９を設けたが、本実施形態に於いては透過板９に拡散層２９を設けたものである。図４は第２実施形態を示す表示板の部分正面図である。図５は表示装置に用いられる透過板の部分正面図であり、図６は透過板の部分断面図（図５に於けるＢ−Ｂ断面）である。なお、前記第１実施形態と同一もしくは相当箇所については同一符号を付し、その説明は省略する。
【００２６】
表示板８は、図示しないが前記第１実施形態と同様に、裏面側に表示部７となる例えば黒色の表示層が印刷によって設けてある。なお、前記第１実施形態では表示板８に拡散層２９を設けたが、本実施形態では設けてない。
【００２７】
透過板９は、前記第１実施形態と同様に白色系の半透明な合成樹脂からなり、図５に示す様に斜線を付した領域内に拡散処理としての拡散層２９が設けてある。この拡散層２９は、例えば微細な粉末が含まれた透明なインクからなり、表示板８の表示部７および表示部７周辺に対応した透過板９箇所の表面側に（表示部７の並びに沿うように）帯状に設けてある。
【００２８】
この様に構成された計器装置に於いて、昼間など周囲が明るい時は、前記第１実施形態と同様に表示板８の表示部７が黒色で視認され、透過板９の全面が白色系の色（白色）で視認される。また、夜間など周囲が暗い時には、前記第１実施形態と同様に表示部７がシルエットとなって視認され、表示装置に奥行き感が得られる。
【００２９】
この様な表示装置に例えば太陽光が差した場合、表示部７の影が透過板９上に黒っぽく映りやすいが、透過板９の表面側に拡散層２９が設けてあるため、影が拡散層２９で拡散反射されてくっきりと現れにくい（輪郭がぼやけてしまう）。従って、表示部７が読みにくかったり、見栄えが悪くなったりするということが抑えられる。なお、拡散層２９は表示部７に対する影の位置ズレが少ないようであれば、少なくとも表示部７周辺に対応した透過板９箇所に設けてあれば良い（例えば前記第１実施形態と同じように）が、広い範囲に設けた方が表示板８と透過板９とが離れていて表示部７に対する影の位置ズレが若干大きくなるようであっても対応できる。よって、透過板９の全面に拡散層２９を設けても良い。
【００３０】
本発明の第３実施形態を図７に基づいて説明する。本実施形態は、表示板８と透過板９との間に拡散板３０を配置したものである。なお、前記各実施形態と同一もしくは相当箇所については同一符号を付し、詳細な説明は省略する。
【００３１】
表示板８は、無色透明な合成樹脂からなる基板２７の裏面側に表示部７となる例えば黒色の表示層を設けたものであり、前記第２実施形態と同じである。透過板９は、前記各実施形態と同様に白色系の半透明な合成樹脂からなる。表示板８および透過板９の何れにも前述した様な拡散層２９は設けられていない。
【００３２】
拡散板３０は、例えば無色透明な合成樹脂からなり、その表面側あるいは裏面側には微細なシボ（凹凸）が設けてある。なお、シボに代えて前記各実施形態と同じ拡散層２９を印刷しても良い。シボあるいは拡散層の範囲は拡散板３０の全面でも良いし、前記第２実施形態の様に表示板８の表示部７および表示部７周辺に対応した箇所に帯状に設けても良い。拡散板３０は、図７に示す様に中心側（指針６側）は透過板９と指標板１７との間に挟み込み、周縁側は透過板９と見返し部材１４の下部２５との間に挟み込んでいるが、装着方法は任意である。
【００３３】
この様に構成された計器装置に於いて、昼間など周囲が明るい時は、前記各実施形態と同様に表示板８の表示部７が黒色で視認される。また、夜間など周囲が暗い時には透過板９および拡散板３０を透過した光によって表示部７がシルエットとなって視認される。この様な表示装置に例えば太陽光が差した場合、表示部７の影が透過板９上に黒っぽく映りやすいが、表示板８と透過板９との間に拡散板３０が配置されているため、光がこの拡散板３０で乱反射しやすい。従って、表示部７の影が透過板９上にくっきりと現れにくい（ぼやける）とともに、透過板９に映った影も一層ぼやけて見える。よって、表示部７の視認性を向上させることができる。
【００３４】
なお、本発明は前記各実施形態に限定されるものではなく、例えば前記第１実施形態に於いて、拡散層２９を表示部７および表示部７周辺に対応した箇所に設けたが、前記第２実施形態の様に帯状に設けても良い。また、表示部７および拡散層２９を表示板８の裏面側に設けたが表面側に設けても良い。また、指標板１７を透過板９上に配置したが、ケース部材１２上に配置するようにしても良い。その場合、指標板１７の指標部は不透過であっても良い。
【図面の簡単な説明】
【００３５】
【図１】本発明の第１実施形態を示す表示装置の断面図。
【図２】同表示装置に用いられる表示板の部分正面図。
【図３】同表示板の部分断面図（図２に於けるＡ−Ａ断面）。
【図４】本発明の第２実施形態を示す表示板の部分正面図。
【図５】同表示装置に用いられる透過板の部分正面図。
【図６】同透過板の部分断面図（図５に於けるＢ−Ｂ断面）。
【図７】本発明の第３実施形態を示す表示装置の断面図。
【符号の説明】
【００３６】
６  指針
７  表示部
８  表示板
９  透過板
１１  透過板用発光ダイオード（光源）
２７  基板
２９  拡散層（拡散処理）
３０  拡散板
【図１】
2007271426.tif 000003
【図２】
2007271426.tif 000004
【図３】
2007271426.tif 000005
【図４】
2007271426.tif 000006
【図５】
2007271426.tif 000007
【図６】
2007271426.tif 000008
【図７】
2007271426.tif 000009